Podtech/llm-jp-corpus-v4-ja_patent huggingface dataset:
(57)【要約】      （修正有）【課題】滑り止め及び衝撃吸収性の優れた車椅子ハンドリム用テープを提供する。【解決手段】制振性の優れた発泡体を中間層とし、その両側に滑り止め層および接着層を備えた車椅子ハンドリム用テープ。前記発泡体が室温領域においてガラス転移点を持ち、この温度領域において高い制振性を持つポリスチレンとビニルイソプレンの共重合体を主成分とする前記テープ。又前記接着層が前記共重合体を主成分とした前記テープ。【選択図】  なし【特許請求の範囲】
【請求項１】
制振性の優れた発泡体を中間層としてその両側に滑り止め層および接着層を備えた車椅子ハンドリム用テープ
【請求項２】
制振性の発泡体として，室温領域においてガラス転移温度を持ちこの温度領域において高い制振特性を持つ，ポリスチレンとビニルポリイソプレンの共重合体を主成分とした発泡体であることを特長とする請求項１記載の車椅子用ハンドリムテープ
【請求項３】
接着層として、請求項２のポリスチレンとビニルポリイソプレンの共重合体を主成分とした請求項１記載の車椅子ハンドリム用テープ
【発明の詳細な説明】
【０００１】
【発明が属する技術分野】
本発明は，滑り止めおよび衝撃吸収性能の優れた車椅子ハンドリム用テープに関する
【０００２】
【従来の技術】
車椅子で移動する場合ハンドリムを手で回して駆動させるが、ハンドリムの材質はステンレス、アルミ合金やプラスチックなどで作られているため，夏期は汗で滑ったり、炎天下で長時間さらされると高温となったり、冬期は冷たく、また地面の凹凸による振動が直接腕や肩に作用して長時間の走行が非常に負担になっていた。
【０００３】
そのため，これらの問題を解決するため，チューブや生ゴムなどをハンドリムに巻きつけ操作しているのが現状である。
【０００４】
【発明が解決しようとする課題】
しかし，ゴムなどをハンドリムに巻き付けた場合、硬く弾力性に欠けるため手に加わる衝撃が強く皮膚を傷つけたり、腕や肩への負担が軽減されず、劣化によりゴム皮膜がボロボロになり長期の使用が出来ず、また保温性に欠けるため、冬期金属部の冷たさを解消することは出来なかった。
また近年、車椅子のフレームやタイヤのカラー化にそぐわないなど種々の問題が生じている。
【０００５】
本発明は、上記の事情に鑑みなされた物で，衝撃吸収力が高く，保温性に富みまた汗などによっても滑らず、長期使用可能な、操作性に優れたカラフルなテープを提供する事を目的とする。
【０００６】
【課題を解決するための手段】
本発明のハンドリム用テープは、室温領域において制振性に優れた発泡体を中間層として使用し、その両側に滑り止め性を有する層と制振性に優れた接着層からなる構成物である。
【０００７】
室温領域において制振性に優れた発泡体は，ポリスチレンとビニルポリイソプレンのブロック共重合体に発泡剤や架橋剤を配合して発泡させたもので、求める厚みにスライスして使用される。
【０００８】
接着層には，ポリスチレンとビニルポリイソプレンのブロック共重合物をトルエン，キシレン，ラッカーシンナーなどの非極性溶剤に溶解させ，上記発泡体にロールコーターなどの塗布機を使用して塗布される。
また、不織布などに接着剤が塗布された一般の両面テープを発泡体の片面に貼り付けてもよい。
【０００９】
滑り止め性を有する層には天然皮革，ポリウレタンなどのシートが利用出来る。また、その表面には滑り防止性や吸汗性を高めるため，パンチングや凹凸模様を施すことも可能である。
【発明の効果】
車椅子のステンレス製ハンドリム部に本発明のテープを巻き付け走行を行ったところ，握った感触も適度な弾力性を有して手に馴染み易く，滑る事も無く，道路の凹凸による振動も吸収され、長時間の走行にも関わらず疲れが生じる事も無かった。
また，本発明のテープを従来使用していた包帯の代わりに松葉杖のグリップ部に巻き付け使用したところ感触も良く，手や腕への負担が軽減され痛みや、疲れが大幅に減少された。
本発明のテープはこのような用途に限定されるものではなく、ゴルフクラブやテニスラケットなどのスポーツ用具や，ハンマーや削岩機などの各種グリップ部に巻き付けて衝撃吸収および滑り止めの用途に使用することが出来る。
【００１０】
【製造例１】ポリスチレンとビニルポリイソプレンのブロック共重合体〔（株）クラレ製  ハイブラー〕７０部，ＥＶＡ３０部，カルシュームカーボネート１００部、ステアリン酸２部，ＤＯＰ４部、架橋剤０．４部、発泡剤８部、顔料０．５部をニーダーに入れ温度１１０℃で混練する。次いでロールにより薄く板状にし，１０ｍｍの金型に入れ、プレス温度１６５℃で１５分間プレス架橋を行って、発泡倍率５倍，硬度１２，反発弾性１７％の制振性に優れた発泡体を製造した。
【００１１】
【実施例１】
製造例１で製造した制振性発泡体を２ｍｍの厚さにスライスし、片面に０．８ｍｍの赤色のポリウレタンシートを貼り付け、その反対側にポリスチレンとビニルポリイソプレンのブロック共重合体３０ｇ、酢酸ビニル樹脂５ｇをキシレン６５ｇに溶解させた接着剤を１０μの厚さに塗布した後、離型紙を貼り，３ｃｍの幅に切断して長さ１ｍのハンドリム用テープを作った。車椅子のハンドリム部にこのテープを巻き付け走行したところ握り易く、滑らないため握力の弱い人でも駆動し易く、路面の振動が軽減されたため，疲れが半減できた。
また、一年を通じて使用したが、皮膜の劣化も無く当初の感触そのままの良好な状態であった。
【００１２】
【実施例２】
パンチングを行った１ｍｍの赤色ポリウレタンシートに０．５ｍｍの不織布および製造例１で製造した制振性発泡体を１ｍｍの厚さにスライスしたシートを順次貼り付けた後、両面テープを貼り  ２．５ｃｍの幅に切断して長さ１ｍのハンドリム用テープを作った。車椅子のハンドリム部にこのテープを巻き付け走行したところ，汗も吸収し操作性も良く、また振動も吸収して肩や腕の疲れも少なかった。また冬期でも感触性に優れ，金属部による冷たさも無く操作ができた。
【００１３】
【実施例３】
製造例１で製造した制振性発泡体を２ｍｍの厚さにスライスし，片面に合成皮革を貼り付けた後、その反対側に両面テープを貼り付け、２ｃｍの幅に切断してハンドリム用テープを作った。このテープを，松葉杖のグリップ部に巻き付けたところ握り易く腕への衝撃も少なく，痛みや疲れも半減した。
【００１４】
【実施例４】
実施例１で作ったハンドリム用テープを、ハンマーのグリップ部に巻き付けて、作業を行ったところ、握り心地も良く衝撃力も減衰して腕や肩への負担が軽減された。
【００１５】
【実施例５】
凹凸の模様を付けた１ｍｍの青色ポリウレタンシートに０．５ｍｍの不織布および、製造例１で製造した制振性発泡体を２ｍｍの厚さにスライスし、順次貼り付けた後、両面テープを貼り、６．５ｃｍの幅に切断してハンドリム用テープを作った。
車椅子の黒色プラスチック製ハンドリム（波つき）に巻き付けたところ、凹凸の面にも形状通りに巻き付けられ、適度の弾力性を有して手に馴染み、カーペットの上でも楽に走行が可能であった。また、車椅子のフレームが青色のため、ハンドリムも同色のテープが使用出来、色合わせが可能となった。
(57)【要約】      （修正有）【課題】牛乳パック等の紙パックを、簡単、安全に、瞬時に切り開く牛乳パック等の紙パック解体器である。【解決手段】牛乳パック等の紙パックをカッターレールスティック７に被せ、解体器本体６に差込み、上から押し込むことにより、カッターレールスティックの溝と、本体内部に取り付けられたサイドカッター１と低部カッター３とにより、瞬時に紙パックを切り開く、牛乳パック等の紙パック解体器である。【選択図】  図１
2005013693.tif 000002
【特許請求の範囲】
【請求項１】
牛乳パック等の紙パックを、カッターレールスティックに被せ、解体器本体に差込み、上から押し込むことにより、内部に取り付けられたカッターで、瞬時に紙パックを切り開く、牛乳パック等の紙パック解体器である。
【発明の詳細な説明】
【０００１】
【発明の属する技術分野】
この発明は、牛乳パック等の紙パックを、カッターレールスティックに被せ、解体器本体に差込み、上から押し込むことにより、カッターレールスティックの溝と、本体内部に取り付けられたサイドカッターと低部カッターとにより、瞬時に紙パックを切り開く、牛乳パック等の紙パック解体器である。
【０００２】
【従来の技術】
従来の牛乳パック等の紙パックの解体は、鋏や、カッターによって切り開いていたので、慣れないと上手く切れなかったり、手をいためたり、時間がかかったり、つい面倒で押しつぶしゴミに出していた。
【０００３】
【発明が解決しようとする課題】
この発明は、従来面倒で台所の厄介物であった牛乳パックの解体を、簡単に、瞬時にするものであり、また、小さな子供でも安全に楽しくできるようにするものである。
【０００４】
【課題を解決するための手段】
（ａ）牛乳パック等の紙パックがすっぽり入る内寸を持つ本体図１の一辺の上部にサイドカッター▲１▼を回転するように、図１の一辺の厚みの中心とサイドカッター▲１▼の中心を合わせて取り付ける。外部に出る部分はカバー▲２▼を付ける。図１の底面内部の対角線上に、山形のカッター▲３▼を取り付ける。
（ｂ）図３よりカッターレールスティック▲７▼を取り出し、これに紙パックを被せる。これを解体器本体（図１）に差込み上からぐっと止まるまで押し込む。カッターレールを本体より引き抜く。本体に残っている紙パックを取り出すと、紙パックが切り開かれている。
【０００５】
【発明の効果】
これにより、簡単に、瞬時に、また安全に牛乳パック等の紙パックを切り開くことができるので、面倒がらずに空きパックが出るたび処理できるので、パックをそのまま置く場所もいらなければ、いつでもリサイクルに利用できる。ゴミの減量にも役立ち、また子供にも簡単にできるので、お手伝いとしても喜ばれる。
【図面の簡単な説明】
【図１】本発明の本体の斜視図
【図２】本発明のカッターレールスティックの斜視図
【図３】本発明の本体にカッターレールスティックを収納した図
【符号の説明】
▲１▼サイドカッター    ▲２▼サイドカッターのカバー    ▲３▼低部山形カッター▲４▼サイドカッターレール    ▲５▼低部カッターの溝    ▲６▼解体器本体    ▲７▼カッターレールスティック
【図１】
2005013693.tif 000003
【図２】
2005013693.tif 000004
【図３】
2005013693.tif 000005
(57)【要約】【課題】杖に回動可能なキャスターを複数設ける事に依り、足、腰及び平衡感覚が衰えた場合でも、杖と接地面が連続して接触する為、安定した身体保持が出来る杖を提供する。【解決手段】杖本体（１）とフレーム（２）を固定し、フレーム（２）に回動可能なキャスター（３）を複数取付ける。杖本体（１）に把持部（５）を挿入し、固定手段（４）で位置を調節する。【選択図】  図１
2005013699.tif 000002
【特許請求の範囲】
【請求項１】
杖本体（１）とフレーム（２）を固定し、フレーム（２）に回動可能なキャスター（３）を設け、固定手段（４）と把持部（５）との構成から成る杖。
【発明の詳細な説明】
【０００１】
【発明の属する技術分野】
本発明は、杖と接地面が連続して接触する為、安定した身体保持が出来る杖に関するものである。
【０００２】
【従来の技術】
杖又は、多点支持杖を使用していた。
【０００３】
【発明が解決しようとする課題】
そのために、次のような欠点があった。
杖と接地面が接触していない時、身体のバランスを失い転倒する事がある。
【０００４】
【課題を解決するための手段】
本発明は下記の構成からなる杖である。
杖本体（１）とフレーム（２）を固定し、フレーム（２）に回動可能なキャスター（３）を設け、固定手段（４）と把持部（５）を具備したものである。
【０００５】
【発明実施の形態】
以下、本発明の実施形態について説明する。
（イ）杖本体（１）にフレーム（２）を固定する。
（ロ）フレーム（２）に回動可能なキャスター（３）を設ける。
（ハ）把持部（５）を杖本体（１）に挿入する。
（ニ）固定手段（４）で把持部（５）の位置を調節する。
【０００６】
【発明の効果】
杖が接地面に連続して接触する為、安定した身体保持が可能である。
【図面の簡単な説明】
【図１】本発明の斜視図
【符号の説明】
（１）  杖本体
（２）  フレーム
（３）  回動可能なキャスター
（４）  固定手段
（５）  把持部
【図１】
2005013699.tif 000003
(57)【要約】【課題】布地をアクリル樹脂の間に挟んで接着構成した腕輪などのアクセサリーが提供されているが、量産の既製品であり、各個人の洋服や着物にマッチしたデザインのものの入手が困難であった。【解決手段】洋服、着物等の製作に使用した生地をそのままアクリル樹脂等のプラスチック材やガラスに挟んで接着し、洋服や着物等にマッチしたオリジナルな腕輪、指輪、イヤリング、ピアス、バレッタやヘアーバンド等の髪飾り、櫛、ペンダント、ブローチ、ネクタイピン、ロープタイ飾り、ボタン、ベルトのバックル、携帯電話のストラップ等のアクセサリーを構成する。【選択図】    図５
2005013697.tif 000002
【特許請求の範囲】
【請求項１】
洋服、着物等の製作に使用した生地を透明体の内部に入れて構成した腕輪、指輪、イヤリング、ピアス、バレッタやヘアーバンド等の髪飾り、櫛、ペンダント、ブローチ、ネクタイピン、ロープタイ飾り、ボタン、ベルトのバックル、携帯電話のストラップ等のアクセサリー
【請求項２】
洋服、着物等の製作に使用した生地を透明なアクリル樹脂等のプラスチック材に入れて構成した腕輪、指輪、イヤリング、ピアスバレッタやヘアーバンド等の髪飾り、櫛、ペンダント、ブローチ、ネクタイピン、ロープタイ飾り、ボタン、ベルトのバックル、携帯電話のストラップ等の請求項１のアクセサリー
【請求項３】
洋服、着物製作に使用した生地を透明なガラスに入れて構成した腕輪、指輪、イヤリング、ピアス、バレッタやハアーバンド等の髪飾り、櫛、ペンダント、ブローチ、ネクタイピン、ロープタイ飾り、ボタン、ベルトのバックル、携帯電話のストラップ等の請求項１のアクセサリー
【発明の詳細な説明】
【０００１】
【発明の属する技術分野】
この発明は腕輪、指輪、イヤリング、ピアス、バレッタやヘアーバンド等の髪飾り、櫛、ペンダント、ブローチ、ネクタイピン、ロープタイ飾り、ボタン、ベルトのバックル、携帯電話のストラップ等のアクセサリーに関するものである。
【０００２】
【従来の技術とその課題】
従来、布地等をアクリル樹脂板に挟んでこれを接着一体化して構成した腕輪等が提供されてきた。しかしながら既製品の大量生産品であり、自分の洋服や着物にマッチした装身具を手に入れることは困難であった。
【０００３】
【課題を解決するための手段】
請求項１の発明は洋服、着物の製作に使用した生地を透明の板等に挟んで接着し、構成する。請求項２の発明は洋服、着物の製作に使用した生地をアクリル樹脂等のプラスチック材の板等に挟んで接着し、構成する。請求項３の発明は洋服、着物の製作に使用した生地をガラスの板等に挟んで接着し、構成する。
【０００４】
【発明の実施の形態】
以下に本発明の実施の形態について説明する。
【０００５】
請求項２の実施例の製造工程及び構成について図により説明する。この例ではアクリル樹脂板による腕輪１の工程及び構成を示す。
（１）図１は材料のアクリル樹脂板を寸法に切断し、接着加工の準備を示す図面である。アクリル樹脂板１−１とアクリル樹脂板１−２との裏側をセロハンフイルムＡをセロハン粘着テープＢで止めて接着剤の回りを防ぐ。
（２）図２はアクリル樹脂接着剤１−３を垂らしたアクリル樹脂板１−１の上に洋服や着物の製作に使用した生地１−４を置く構成を示す。
（３）図３は生地の上にアクリル樹脂接着剤を１−３垂らしたアクリル樹脂板１−２を被せる構成を示す。
（４）以上の様に構成したものを、熱板プレスにより、６０℃〜８０℃の温度下で約１０分かけて圧着する。図４はこのようにして構成した腕輪１の板状形態を示す。
（５）面取り、バリ取り加工
（６）ガラ研磨加工
（７）艶研磨加工
（８）１２０℃〜１５０℃に加熱して曲げ加工を行う。
（９）図５のような腕輪１が完成する。
以上のような構成により、同様に指輪、イヤリング、ピアス、バレッタやヘアーバンド等の髪飾り、櫛、ペンダント、ブローチ、ネクタイピン、ロープタイ飾り、ボタン、ベルトのバックル、携帯電話のストラップ等のアクセサリーを構成する。更に応用例としては上記構成の生地に金糸などの刺繍により、十二支、星座、紋章、イニシャルを入れる方法、金属、貴金属の飾りやフレームを追加する方法、宝石を追加する方法等が出来る。
【０００６】
請求項３の実施例は請求項２工程に準じ、ガラス板の間に洋服、着物に使用した生地を挟んで接着材で接着する。但しガラスの場合は加熱曲げ加工は高温となり、一般の生地は高熱に耐えられない。前工程で２枚の素材を精度良く曲げ加工を行い、場合によっては表面仕上げも行って２枚の間に生地を挟んで密着させて接着させる。
【０００７】
【発明の作用・効果】
請求項１の構成は洋服、着物に使用した生地を透明体の中に入れて構成するので、洋服や着物とマッチし、またオリジナルなアクセサリーとしての価値観も高まる。請求項２の構成は洋服、着物に使用した生地を透明なアクリル樹脂等のプラスチック材に入れて構成するので、洋服、着物にマッチし、オリジナルなアクセサリーとしての価値がある。アクリル樹脂は軽量であり、腕輪、指輪、イヤリング、ピアスバレッタ等の髪飾り、櫛、ペンダント、ブローチ、ネクタイピン、ロープタイ飾り、ボタン、ベルトのバックル、携帯電話のストラップ等のアクセサリーなど幅広く利用できる。請求項３の発明は洋服、着物に使用した生地をガラスに入れて構成するので洋服、着物にマッチし、オリジナルなアクセサリーとしての価値がある。ガラスは硬く磨耗に強く、熱、化学成分に強いので耐久性のあるアクセサリーを構成できる。更に応用例としては上記構成の生地に金糸などの刺繍により、十二支、星座、紋章、イニシャルを入れる方法、金属、貴金属の飾りやフレームを追加する方法、宝石を追加する方法等により、オリジナルなデザインを楽しむアクセサリーを提供できる。
【図面の簡単な説明】
【図１】本発明に関わる装身具の腕輪のアクリル樹脂板による製造工程の切断したアクリル樹脂板の準備段階を示す平面図である。
【図２】アクリル樹脂板と生地の接着の構成を示す図１の裏面図である。
【図３】図２の構成にもう一枚のアクリル樹脂板を被せる状態を示す斜視図である。
【図４】熱板プレスにより、一体化した状態を示す斜視図である。
【図５】バリ取り加工、ガラ研磨加工、艶研磨加工を経て完成した腕輪を示す斜視図である。
【符号の説明】
１        …  腕輪
１−１    …  アクリル樹脂板
１−２    …  アクリル樹脂板
Ａ        …  セロハン
Ｂ        …  セロハン粘着テープ
１−３    …  アクリル樹脂接着剤
１−４    …  生地
【図１】
2005013697.tif 000003
【図２】
2005013697.tif 000004
【図３】
2005013697.tif 000005
【図４】
2005013697.tif 000006
【図５】
2005013697.tif 000007
(57)【要約】      （修正有）【課題】Ｘ線ステレオ撮影における二つの管球位置の両方においてカットオフのない散乱線除去グリッドを提供する。【解決手段】入射する放射線に対して前後に、Ｔの間隙を挟んで重ねて配置した第１の遮蔽部材の格子スクリーンと第２の遮蔽部材の格子スクリーンを持つ。グリッドの平面から焦点距離ｆだけ離れてグリッドと平行に配置された、二つの焦点位置ＦＡとＦＢに対して適合する。ＦＡとＦＢの間隔をｄと置き、第１のスクリーンと第２のスクリーンの格子密度をＮ１およびＮ２とおいたとき、ｆ＝Ｎ１×ｄ×Ｔ、Ｎ２＝（Ｎ１×ｄ−１）／ｄを満たす。【選択図】図１
2005013311.tif 000002
【特許請求の範囲】
【請求項１】
放射線源からの放射線の一部を透過するように間隙をあけて配置された放射線遮蔽部材と、前記遮蔽部材の間隙を充填する放射線透過部材によってなる散乱放射線除去グリッドであって、前記遮蔽部材の配置は、縞目状あるいは格子状に配置された第１の遮蔽部材スクリーンと、前記第１のスクリーンに対して放射線源とは反対側に、第１のスクリーンよりもわずかに低い縞目あるいは格子の密度を持って、縞目状あるいは格子状に配置された、第２の遮蔽部材スクリーンと、からなることを特徴とする。
【請求項２】
前記グリッドは、グリッド面に平行に配置された二つの焦点位置に対して最適化されており、その二つの間の距離をｄ（ｃｍ）とおき、前記第１のスクリーンと第２のスクリーンの間隔をＴ（ｃｍ）、前記第１のスクリーンの格子密度をＮ１（ｃｍ−１）、前記第２のスクリーンの格子密度をＮ２（ｃｍ−１）、焦点距離をｆ（ｃｍ）とおいたときに、
ｆ＝Ｎ１×ｄ×Ｔ
Ｎ２＝（Ｎ１×ｄ−１）／ｄ
とあらわせることを特徴とした、請求項１に記載の散乱放射線除去グリッド。
【発明の詳細な説明】
【０００１】
【発明の属する技術分野】
本発明は、ステレオ撮影用グリッドに関する。
【０００２】
【従来の技術】
従来より、放射線撮影装置は被検者の医療診断、物質の非破壊検査等の多様な分野で使用されている。多くの放射線撮影装置は、点光源から発する放射線を被写体に照射し、透過した放射線の濃度分布を受像器で画像に変換するという原理に基づいて動作する。
【０００３】
放射線撮影装置においては、放射線が被写体に入射した際に生ずる散乱放射線を除去し、良好な画像を得るために散乱線除去グリッドを使用して撮影される場合がある。代表的なグリッドは、放射線遮蔽部材である鉛の箔が、点光源からの放射線に対して平行に、間隙をあけながら多数積層された構造をしている。点光源から被写体を通過して減衰しながら直進した放射線は、鉛箔の間隙を通過して受像器に至るが、被写体内で散乱して方向を変えた放射線のうち、鉛箔に平行ではなくなったものは、間隙を通過できずに鉛箔で遮蔽される。グリッドの物理的構造を支持するため、間隙は木材やアルミなどの放射線透過部材で充填されている。間隙の光線方向にそった長さと、間隙の幅との比は、格子比と呼ばれ、散乱線除去の能率をあらわすパラメータの一つである。
【０００４】
グリッドの鉛箔は点光源に向けて収束するように層構造を為しているため、光源の位置がずれると直接放射線であってもグリッドを透過できなくなる（カットオフ）場合がある（特開平０９−０６６０５４号公報）。たとえば、平面の鉛箔を縞状に積層したグリッドでは、積層面に垂直な方向に光源がずれると、光源からの放射線はグリッドを透過できなくなる。しかし、光源が積層面に平行に移動するぶんには、光線と鉛箔との並行関係が崩れないため、このような問題は起きない。
【０００５】
放射線撮影装置のなかには、光源と受像器の位置関係が変化することを特徴とするものがある。たとえば、ステレオ撮影や断層撮影は、光源と受像器の位置関係を変化させながら、複数の画像を撮影したり多重露光を行うところに特徴がある。
【０００６】
【発明が解決しようとする課題】
ステレオ撮影法においては、放射線を二つの光源位置から照射し、それぞれに対する画像を得て、両眼で別々に観察することによって立体感を得る。良好な両眼視差を得るため、二つの光源位置はある程度の距離を確保できることが望ましい。また、視差方向の画像のボケはなるべく低減されていることが望ましい。
【０００７】
このような撮影の際に散乱線除去グリッドを利用しようとすると、光源位置が複数存在することが問題となる。視差方向とグリッドの積層面を並行にした場合、光源位置によってカットオフが発生することはないが、前述の通り積層面に平行な散乱線は除去できないため、視差方向のボケを低減できない。視差方向とグリッドの積層面を直交させた場合には、光源の移動によりグリッドのカットオフが発生する。カットオフを減じて視差を確保するために格子比を下げると、散乱線の除去能率が悪くなるうえ、完全にカットオフを無くすことはできない。
【０００８】
本発明では、上記のようなケースで有用となる、複数の焦点位置に対してカットオフが生じず、かつ焦点の移動方向と平行な方向にも散乱線除去能力のあるグリッドを提供する。
【０００９】
【課題を解決するための手段】
上記の問題を解決する散乱線除去グリッドは、以下のような特徴を有する。入射する放射線に対して前後に、Ｔの間隙を挟んで重ねて配置した第１の遮蔽部材の格子スクリーンと第２の遮蔽部材の格子スクリーンを持つ。グリッドの平面から焦点距離ｆだけ離れてグリッドと平行に配置された、二つの焦点位置ＦＡとＦＢに対して適合する。ＦＡとＦＢの間隔をｄと置き、第１のスクリーンと第２のスクリーンの格子密度をＮ１およびＮ２とおいたとき、
ｆ＝Ｎ１×ｄ×Ｔ
Ｎ２＝（Ｎ１×ｄ−１）／ｄ
を満たす。
【００１０】
【発明の実施の形態】
図１は本発明による２焦点グリッドの断面図である。図中上側に、本発明の第１の遮蔽部材スクリーンが形成されており、下側に第２の遮蔽部材スクリーンが形成されている。放射線は図中上の焦点ＦＡまたはＦＢより照射され、図示しない被写体を透過し、グリッドを下へ透過して図示しない受像器に像を結ぶ。
【００１１】
焦点ＦＡからの光線は、第１の遮蔽部材スクリーンの間隙１、２、３…を通過し、第２の遮蔽部材スクリーンの間隙１、２、３…を通過して受像器にいたる。焦点ＦＢからの光線は、第１の遮蔽部材スクリーンの間隙２、３、４…を通過し、第２の遮蔽部材スクリーンの間隙１、２、３…を通過して受像器にいたる。
【００１２】
この過程を逆に見ると、第２の遮蔽部材スクリーンの間隙１は、第１の遮蔽部材スクリーンの間隙１と２から光線を受け取り、それ以外の光線は遮蔽されるという性質がある事が分かる。また、通常のグリッドでは焦点以外の位置に光源があった場合、カットオフが発生するが、本発明のグリッドによれば、光源位置がＦＡとＦＢの両方で遮蔽面積が最小となり、カットオフがなくなる。
【００１３】
【発明の効果】
以上説明したとおり、本発明の散乱線除去グリッドによれば、二つの焦点位置においてカットオフがなくなり、かつ焦点視差方向に散乱した散乱線に対しての除去能力も備えることができる。これらの焦点位置にＸ線管球を配置し、ステレオ撮影を行うことにより、視差方向の画像の解像を改善することができる。
【図面の簡単な説明】
【図１】本発明によるグリッドの原理図である。
【符号の説明】
１  第１の遮蔽部材スクリーン
２  第２の遮蔽部材スクリーン
【図１】
2005013311.tif 000003
(57)【要約】      （修正有）【課題】高齢者や非介護者がテーブルで給仕盆を用いて食事をする場合、給仕盆の幅が広く両腕が給仕盆に接触するため、テーブルから突き出た状態まで引き寄せることができない。そのため、給仕盆と体の間が広くなり、食べ物を落としたり付け汁などを垂らして衣服を汚すことが多くなることに対し、給仕盆を体に近づけられるようにして、利便性を高める。【解決手段】食卓上で用いる給仕盆の形状において、矩形の一辺の中央部分を底面２と同面で外側に伸長して伸長部分４とし、周囲に額縁３を設けた給仕盆１。【選択図】図１
2005013367.tif 000002
【特許請求の範囲】
【請求項１】
食卓上で用いる給仕盆において、食卓から給仕盆を突出させて食事をするとき、食事者の両腕の動作に接触しない凹みを給仕盆の座席側の両側に設けた給仕盆の形状。
【発明の詳細な説明】
【０００１】
【産業上の利用分野】
食卓上で用いる給仕盆の形状に関するものである。
【０００２】
【従来の技術】
従来の給仕盆は運搬のしやすさ、汁などがこぼれた時の周囲への拡散防止が主目的であったため矩形が多い。一方、高齢者や非介護者などが椅子に腰掛けて食事をする場合、椅子をテーブルに近づけるために中腰で椅子を動かす動作が、肉体的衰えにより容易にできないため、テーブルと体の間が広くなり、食べ物を落としたり付け汁などを垂らし、衣服を汚すことが多くなっている。
【０００３】これに対応するためには給仕盆を用い、テーブルからその給仕盆を手前に引き寄せて食事をすればよいが、給仕盆の幅が広いために腕が給仕盆に当たる。そのため、給仕盆をテーブルから突き出した状態では食事のための動作ができない。
【０００４】
【発明が解決しようとする課題】
給仕盆の座席側の幅が広いことである。
【０００５】
【課題を解決するための手段】
食事中の腕の動作が、給仕盆に接しない給仕盆の形状にする。
【０００６】
【発明の実施の形態】
給仕盆の座席側の幅の中央部を外側に伸長し、中央部の両側が相対的に凹む形状にする。
【実施例】
【０００７】図１（ａ）は、矩形の底面２の一辺の中央部分を外側に伸長し、周囲に額縁３を設けた状態を示す給仕盆１の外観斜視図である。伸長部分４は矩形部分の底面２が同面で伸長している。
【０００８】伸長部分４の大きさは、幅は２０〜３０ｃｍ程度、出っ張りは数ｃｍ〜１０ｃｍ程度が使い易い寸法である。額縁３はプレス成型や射出成形では底面２と一体的に製作され、木板など天然素材の場合は一体で製作する他、額縁と底板を別材料にして組み合わせて製作してもよい。尚、額縁３と底面２の接合部の形状は、一体的に成型する場合は角を丸く、また額縁３の起立に傾斜をつけて脱形し易くする。
【０００９】図１（ｂ）は、給仕盆１の裏面の斜視図で、底面６に摺滑体７を設けて給仕盆を摺動させるとき摩擦を小さくし、食器の乗った給仕盆を動かす場合の初期の力を小さくしたり、テーブルを傷つけないようにしている。
【００１０】摺滑体７は、射出成形では一体成形にするが、プレス成型や天然素材を用いる場合は別材の摺滑体を接着などで留付ける。高さは、摺滑体７とテーブル周縁部で給仕盆を支持したとき、中間部の撓みがテーブルに接しない高さとする。形状や大きさは、給仕盆がガタついたり摺動時にテーブルクロス等に引っ掛かからないように円弧状が望ましい。
【００１１】図２は、給仕盆の使用勝手をなくするために底面９の４辺を拡張して伸長部分１１，１２，１３，１４とし、外周部に額縁１０を設けた場合の給仕盆８の外観斜視図である。鎖線は、名札や料理に関連した情報を表示するＩＣタグなどを取り付ける場合に利用するスペースとして利用できる。
【００１２】図３は丸テーブル用の給仕盆１５で、座席側の底面および伸長部分１７の周縁１８が円弧状になっている。回転テーブル２１が丸テーブル２０上にある場合の側部の額縁１９は途中から無くし、底面１６が回転テーブル２１と丸テーブル２０の間に入り込むようにしている。
【００１３】図４（ａ）は、給仕盆２２を前後に移動させる場合、小さな力で動くように伸長部２３と対向する外周部の裏面にローラー２６を取り付けている。取り付け方は、図４（ｂ）のように底面２４から伸長した額縁２５の幅を広くしてローラー２６の大きさに相応した凹み２７を形成し、ローラー２６の下端が裏面からわずかに突き出るように、凹み２７の側部にローラー２６の回転軸を枢着する。
【００１４】また他の方法としては、ローラーの代わりに球に相応した凹みを設けて、球のみがテーブルに接する孔のある別部材からなる押さえ板により球の脱落を防止し、移動し易くしてもよい。
【００１５】
【発明の効果】
このような給仕盆は、図１（ａ）において着席前は食卓の周縁を示す鎖線Ａより内側に配膳し、着席後略Ｂの位置まで給仕盆を移動させて使用する。伸長部分の前部は食事者の両腕の間にある状態となり、体と給仕盆の間はテーブル周縁より突き出た分だけ間が狭くなる。その結果、伸長部分に食器を置くことができ、食べやすくなり、また食べこぼしてもこぼれた物が衣服やテーブルクロスを汚すことも少なくなる。
【００１６】
病院や介護施設でのベッドに付属したテーブル上でも使用し易く、また座席側を特定しない場合、伸長部を複数設けることにより食事者に対応した情報の表示スペースとして用いることができる。
尚、また畳の上で使用する場合は、脚を付けたり台の上に乗せて用いる。
【図面の簡単な説明】
【図１】給仕盆の表裏面の外観斜視図
【図２】四方に伸長部分を設けた給仕盆の表面の外観斜視図
【図３】丸テーブル用の給仕盆の表面の平面図
【図４】ローラーの付いた給仕盆の表面の外観斜視図
【符号の説明】
１：給仕盆              ２：底面              ３：額縁
４：伸長部分            ５：伸長部分          ６：底面
７：摺滑体              ８：給仕盆            ９：底面
１０：額縁              １１：伸長部分        １５：給仕盆
１６：底面              １７：伸長部分        １９：額縁
２２：給仕盆            ２５：額縁            ２６：ローラー
【図１】
2005013367.tif 000003
【図２】
2005013367.tif 000004
【図３】
2005013367.tif 000005
【図４】
2005013367.tif 000006
(57)【要約】【課題】サインプレートを設置する際、台盤が不要で、邪魔にならないサインプレート支持装置付陳列棚を提供する。【解決手段】側枠４における適宜の縦杆７に、上端部にサインプレート１３を吊支するための水平の支持杆８を備えるサインプレート支持用支柱９を、上下移動可能として挿入し、固定する。【選択図】        図１
2005013361.tif 000002
【特許請求の範囲】
【請求項１】
側枠における適宜の縦杆に、上端部にサインプレートを吊支するための水平の支持杆を備えるサインプレート支持用支柱を、上下移動可能として挿入し、固定したことを特徴とするサインプレート支持装置付き陳列棚。
【請求項２】
サインプレート支持用支柱を、縦杆内に回転可能として挿入し、固定したことを特徴とする請求項１記載のサインプレート支持装置付き陳列棚。
【発明の詳細な説明】
【０００１】
【発明の属する技術分野】
本発明は、大型商店等に効果的に設置しうるサインプレート支持装置付き陳列棚に関する。
【０００２】
【従来の技術】
大型商店や催事場等において、陳列部間や什器間等の空間部の高所にサインプレートを掲示するためには、従来、相当の重量を有する台盤から、上端部にサインプレート支持部を有する支柱を立設したサインスタンドが多用されている。
【０００３】
【発明が解決しようとする課題】
しかし、上記した従来のサインスタンドは、建物内の有効面積を減ずるとともに邪魔になり、かつ重くて取扱いに不便であるとともに、多数を設置した場合には、その価格も軽視できないものとなる。
【０００４】
【課題を解決するための手段】
本発明は、従来のサインスタンドにおける上記の諸問題を解決することを目的とするもので、その具体的手段は次のとおりである。
（１）側枠における適宜の縦杆に、上端部にサインプレートを吊支するための水平の支持杆を備えるサインプレート支持用支柱を、上下移動可能として挿入し、固定する。
【０００５】
（２）上記（１）項において、サインプレート支持用支柱を、縦杆内に回転可能として挿入し、固定する。
【０００６】
【発明の実施の形態】
図１の（１）は、従来の一般的な陳列棚を略示するもので、台板（２）の左右両側後端より立設した支柱（３）（３）の前面に、台板（２）から立ち上がる側枠（４）（４）を支持するとともに、左右の側枠（４）（４）間に適宜棚板（５）を架設し、かつ支柱（３）（３）間に後枠（６）を装設したものである。
【０００７】
本発明の特徴として、側枠（４）の縦杆の少くともいずれか、例えば後部縦杆（７）の少くとも上部を管状としてあり、これに、上端に水平の支持杆（８）を有する支柱（９）を、上方から挿入してある。
【０００８】
後部縦杆（７）の上部の管状部の断面は円形もしくは四角形とし、支柱（９）の断面は円形としてある。
【０００９】
図２に明示してあるように、側枠（４）の後部縦杆（７）の後面上下端部には、支柱（３）の前面に設けられている係合孔（図示せず）へ係合しうる鉤片（１０）を突設してあり、かつ後部縦杆（７）における側枠（４）の上縁よりやや突出する部分の前面には、締付ねじ（１１）を螺合してある。
【００１０】
水平の支持杆（８）は、若干の間隙を有する上下２本からなり、その下方のものに、クリップ（１２）等をもって、サインプレート（１３）を吊支しうるようにしてある。
【００１１】
水平の支持杆（８）より吊支されるサインプレート（１３）の上下寸法に応じ、締付ねじ（１１）を緩めて、支柱（９）を上下移動させることができる。
【００１２】
また支柱（９）を回動させて、サインプレート（１３）を、図１の右側に示すように、側枠（４）と平行としたり、同じく左側に示すように直交させたり、もしくは斜交させたりすることができる。
【００１３】
前記支柱（９）を側枠（４）の前部縦杆（１４）に、また前部縦杆（１４）と後部縦杆（７）の双方に挿入して実施することもある。
【００１４】
【発明の効果】
請求項１記載の発明：側枠における前後いずれかもしくは双方の縦杆に挿入してあるサインプレート支持用支柱を、吊支されるサインプレートの寸法に応じて、上下移動させることができ、かつ不用の際には、側枠の上縁に近接もしくは当接するまで、下降させることができるので、目障りになったり邪魔になったりすることはない。
【００１５】
また、サインプレート支持用支柱を保持するのに、陳列棚自体の側枠を利用しているから、格別邪魔になることはなく、また安価的にも有利である。
【００１６】
請求項２記載の発明：前項に加え、顧客の視線もしくは照明等に応じて、サインプレート支持用支柱を回転させ、サインプレートの向きを最も適切に定めることができる。
【図面の簡単な説明】
【図１】従来の一般的な陳列棚に本発明を適用した例を示す斜視図である。
【図２】一方の側枠と、それに取付けられたサインプレート支持用支柱を示す斜視図である。
【符号の説明】
（１）陳列棚
（２）台板
（３）支柱
（４）側枠
（５）棚板
（６）後枠
（７）後部縦杆
（８）支持杆
（９）支柱
（１０）鉤片
（１１）締付ねじ
（１２）クリップ
（１３）サインプレート
（１４）前部縦杆
【図１】
2005013361.tif 000003
【図２】
2005013361.tif 000004
(57)【要約】【課題】近年マンション等の小さい密閉空間での居住性を快適にする要求はますます強まってきており、多くの消臭性物品や室内清涼剤が使用されているが、一つの物品で、長期間にわたり消臭性と芳香性を兼ね備えた物を提供することを目的とする。【解決手段】炭の粉末の成形品であって、炭の粉末に増量剤、粘結材を配合し、１００℃〜１５０℃の温度で加圧成形し、その後、該成形品を冷却し、５０℃〜８０℃の温度まで該成形品が冷却したとき、該成形品を芳香性の溶液に浸漬することを特徴とする芳香性を有する炭の成形品の製造方法であり、粘結材により加熱及び加圧によらず型成形を行い、芳香性物質を浸漬又は混入等することにより、炭の脱臭及び調湿等の特徴を有する炭製品の製造方法であり、悪臭の消臭効果と芳香性を発散する清涼効果を併せ持つ材料を提供するとともに、その製造方法を教示するものである。【選択図】          なし【特許請求の範囲】
【請求項１】
炭の粉末の成形品であって、芳香性を有する炭の成形品。
【請求項２】
炭の粉末に増量剤、粘結材を配合し、１００℃〜１５０℃の温度で加圧成形し、その後、該成形品を冷却し、５０℃〜８０℃の温度まで該成形品が冷却したとき、該成形品を芳香性の溶液に浸漬することを特徴とする芳香性を有する炭の成形品の製造方法であり、粘結材により加熱及び加圧によらず型成形を行い、芳香性物質を浸漬又は混入等することにより、炭の脱臭及び調湿等の特徴を有する炭製品の製造方法。
【発明の詳細な説明】
【０００１】
【発明の属する技術分野】
本発明は、消臭効果のみならず、芳香性も有する炭の空気清浄化物品、環境浄化物品および室内化粧物品あるいはハウスキーピング物品（室内清涼剤）に関する。
【０００２】
【従来の技術】
従来より、排泄物等の臭いを無くすために、ベースに活性炭等を用いて臭いを消す方法が提案されている。また、室内清涼剤として、無機粉体に芳香性の溶液を含浸させ、室内清涼剤として用いる方法も試みられているが、芳香性を維持する時間が殆ど短時間で長時間にわたって芳香性を維持できていないのが現状である。
【０００３】
また、これまで消臭効果を有する吸収物品として、炭あるいは竹炭等が用いられた例はあるが、芳香性を兼ね備えた物は無い。
【０００４】
【特許文献１】
特開平１０−３０９５７４
【０００５】
【発明が解決しようとする課題】
しかしながら、近年、マンション等の小さい密閉空間での居住性を快適にする要求はますます強まってきており、多くの消臭性物品や、室内清涼剤が使用されているが、一つの物品で、長期間にわたり消臭性と、芳香性を兼ね備えた物は未だ存在しない。
【０００６】
そこで、本発明の目的は、室内の悪臭の消臭効果と室内の環境を快適にする芳香効果の二つの効果を長期間にわたって一度に維持できる、言い換えれば、消臭性室内清涼剤を提供することにある。
【０００７】
【課題を解決するための手段】
前記課題を解決するために鋭意検討を行った結果、臭いの吸着作用をもつ炭の粉末を高温で加圧成形することにより、又は粘結材により成形を行うことにより微細孔を無数に有する成形体とし、該成形体中に芳香性のある液体を含浸させることにより、又は芳香剤を混入することにより長期にわたり脱臭効果と芳香性を有する成形体が得られることが分かり、本発明を完成した。
【０００８】
従来の無機粉末の表面に芳香性の液体を含浸させただけでは、長期にわたり芳香性を維持することが困難であるのに対し、本発明は成形体の無数の微細孔に芳香性物質を閉じ込めることにより、長期にわたり芳香性効果を発揮できる。
【０００９】
また、本発明の炭の粉末成形体は、本来、臭いの吸着性能を有するが、芳香性の有機物液体に漬けても、成形体の表面や内部の一部に付着した有機芳香物質が気化して飛んでゆくために、本来の臭いの吸着性能は保持されることになる。
【００１０】
【発明の実施の形態】
以下、本発明の実施の形態について説明する。本発明を構成する消臭性室内清涼剤は、炭の粉末を加圧成形し、これを芳香性の液体に漬けて芳香性を保持させたものである。
【００１１】
この場合、用いられる炭の粉末としては、通常の炭を粉末状に粉砕したもので良い。特には竹炭粉末が好ましい。竹炭は多孔質で吸着力に優れており本発明の目的に最適である。
【００１２】
また、本発明の炭の成形品は、炭の粉末に増量剤および粘結剤を配合して加圧成形される。この場合の増量剤は、成形性や成形体強度を改善する目的で添加されるが、シリカ粉末等の天然の環境にやさしい材料が好ましい。
【００１３】
粘結剤についても前記と同様の目的で添加されるが、澱粉、松脂や天然油脂等の自然のものが好ましい。
【００１４】
炭の粉末に対する増量剤及び粘結剤の配合割合は１〜１０重量％が好ましい。これ以上の増量剤や粘結剤の添加は、炭の成形体本来の吸着性能を低下させるのみならず、芳香剤としての性能も低下させる原因となる。
【００１５】
加圧成形された炭の成形体は、その後冷却され、芳香性の溶液に漬けられる。この場合の芳香性の溶液としては、例えば、合成香料、アロマティック有機化合物、あるいはラベンダー等の天然香料等の水溶液が用いられる。又、芳香性を有するカプセル（粉末等）を混合して固めることができる。
【００１６】
成形体表面や浅い細孔部では、芳香性物質の揮発により、炭本来の保有する脱臭性能が生かされることになる。
【００１７】
【発明の効果】
以上説明したように、本発明による炭の成形品及びその製造方法は、悪臭の消臭効果と芳香性を発散する清涼効果を併せ持つ材料を提供するとともに、その製造方法を教示するものである。
(57)【要約】      （修正有）【課題】床ずれ防止およびもしくは軽減させるシートを提供する。【解決手段】布状体の基材に銀箔を密着させ、患部の肌に銀箔面を直接当てておけるようにしたことを特徴とする。【選択図】  図１
2005013393.tif 000002
【特許請求の範囲】
【請求項１】
布状体の基材に銀箔を密着させ、患部の肌に銀箔面を直接当てておけるようにしたことを特徴とする床ずれ軽減シート。
【請求項２】
請求項１において、基材に接着剤を塗布し、銀箔を熱圧着したことを特徴とする床ずれ軽減シート。
【請求項３】
請求項１において、基材に吸臭性、吸湿性のある物質の粉体の添付加工をしたことを特徴とする床ずれ軽減シート。
【請求項４】
請求項１において、メッシュで銀箔面を覆ったことを特徴とする床ずれ軽減シート。
【発明の詳細な説明】
【０００１】
【発明の属する技術分野】
本発明は、人や動物の床ずれを防止およびもしくは軽減させるシートに関する。
【０００２】
【従来の技術】
長い闘病生活者、車椅子を長時間使用する人および大型動物等においては、床ずれや座りずれ（以後床ずれと云う。）が生じる。このような床ずれは、細菌の感染、繁殖が原因であることが知られており、いろいろな対策がとられている。
【０００３】
そのひとつとして銀の殺菌作用および抗菌作用（ｏｌｉｇｏｄｙｎａｍｉｅ効果）を利用した技術がある。
そのような技術として、合成繊維の表面に銀をめっきしたり蒸着したりした銀付繊維を用いた布による肌着等の製品がある（例えば特許文献１参照。）。
【０００４】
【特許文献１】
特開平１０−３１０９７５号公報
【０００５】
【発明が解決しようとする課題】
このような従来技術によると、合成繊維に直接銀加工を施さなければならず、細い繊維に加工する技術は非常に困難であり十分に銀が付着せず耐久性、殺菌作用および抗菌作用が得られないという問題がある。さらに、その割合には異状に高価な製品となってしまう問題がある。
【０００６】
【課題を解決するための手段】
そこで本発明は、布状体の基材に銀箔を密着させ、患部の肌に銀箔面を直接当てておけるようにしたことを特徴とする。
【０００７】
【発明の実施の形態】
以下に本発明の実施の形態を図面を用いて説明する。
図１は拡大断面説明図である。図において、１は銀箔であり、０．２μｍ〜０．８μｍの厚さである。
【０００８】
２は基材であり、天然繊維、合成繊維等による不織布もしくは織布、和紙、皮革等による布状体である。
さらに、図２に示す如く、この基材２に必要に応じて木炭、竹炭、活性炭、シリカゲル等の吸臭、吸湿効果のある物質の粉体３を担持、固着，塗布もしくは含浸等の添付加工をしておくとよい。
【０００９】
このような基材２の表面に上記銀箔１を張り付けてある。この張り付け方法はどのような方法でもよく、例えば、基材２の表面にホットメルトタイプの接着剤を塗布しておき銀箔１を熱圧着よって貼着する。その他、常温で使用する接着剤による接着であってもよい。
【００１０】
なお、この基材２の大きさは、例えば３０ｃｍ四方位の片手で容易に取り扱いができる程度の大きさであり、形状はこのような角形に限らず円形や長円形等任意である。
４は絹、綿、ウール等の天然繊維、合成繊維およびその他の繊維もしくはこれらの混紡等によるメッシュである。このメッシュ４は銀箔１の表面を覆うもので、その裏面全面に上記基材２同様に接着剤を塗布しておき、その裏面を銀箔１に貼着させてもよく、また、周囲だけを基材２に縫い付け、その他は銀箔１と密着しない状態としてもよい。この場合にはさらに図３に示す如く、碁盤目やたすきがけに縫い目（ミシン目）５を入れて閉じてもよい。また、メッシュ４で覆う前の銀箔１を基材２に密着させた状態で縫い目（ミシン目）５を入れてもよく，この場合には上記のメッシュ４の上からの縫い目を入れなくてもよい。
【００１１】
このようにメッシュ４で覆っておくと、汗等の湿気の放散をはかると共に銀箔１の磨耗や損傷を防いだり軽減させたりすることができるものであり、覆っておいたほうがよい。
以上説明したシートによると、患部の肌にこのシートの銀箔１面が直接触れるように当てておくことにより、患部が化膿するようないわゆる床ずれを発症させることがなくなる。これは銀がもつ殺菌作用および抗菌作用によるもので球菌、ブドウ状球菌、桿菌、連鎖状球菌等をその金属イオンで殺菌、抗菌する効果によるものである。また、白かび、黒かび，青かび等の一般的なかびの発生も防ぐことができる。
【００１２】
【発明の効果】
以上詳細に説明した本発明によると、布状体の基材の表面に銀箔を密着させてシートを形成したことにより、このシートの銀箔を患部の肌に直接触れるように当てておくことにより床ずれの発症を防ぐ効果がある。
【００１３】
また、銀箔は布状体の基材に密着させてあるために耐久性があり、しかも小型で患部に当て易い形状としたことにより扱い易く患部に当て易いという効果がある。
さらに、シートをメッシュで覆うことにより、一層の耐久性を得ることができると共に汗の発散を促すことができる効果を有する。
【００１４】
また、基材に木炭等の吸臭性や吸湿性を有する物質の粉体の添付加工をすることにより，さらに吸臭効果および吸湿効果を得ることができる。
また、形状および構造が単純で使い捨て製品となることにより使用が容易でありしかも衛生管理が容易であるという効果を有する。
【００１５】
また、床ずれだけでなく一般の切り傷等の傷口に当てておくことにより化膿防止の効果がある。
【図面の簡単な説明】
【図１】本発明の実施の形態を示す拡大断面説明図
【図２】木炭の粉体を混入させた状態の拡大断面説明図
【図３】縫い目を入れた状態の説明図
【符号の説明】
１  銀箔
２  基材
３  粉体
４  メッシュ
５  縫い目
【図１】
2005013393.tif 000003
【図２】
2005013393.tif 000004
【図３】
2005013393.tif 000005
(57)【要約】【課題】靴の裏地となる織布及び前記織布より薄い不織布シート間に配設した唐辛子、茶の葉、ラベンダーの花、みかんの皮、マグネシウム・リン・鉄・亜鉛・銅又はキトサンの粉末、粒体又は破片による各種作用を利用することができるようにする。【解決手段】織布１又は前記織布より薄い不織布シート２を貼着した靴の裏地材において、前記織布と不織布シートの間に、唐辛子、茶の葉、ラベンダーの花、みかんの皮、マグネシウム・リン・鉄・亜鉛・銅又はキトサンの粉末、粒体又は破片を一種類又は複数種類配設した。【選択図】        図１
2005013326.tif 000002
【特許請求の範囲】
【請求項１】
織布又は前記織布より薄い不織布シートを貼着した靴の裏地材において、前記織布と不織布シートの間に、唐辛子、茶の葉、ラベンダーの花、みかんの皮、マグネシウム・リン・鉄・亜鉛・銅又はキトサンの粉末、粒体又は破片を一種類又は複数種類配設したことを特徴とする靴の裏地材。
【発明の詳細な説明】
【０００１】
【産業上の利用分野】
この発明は、靴の裏地となる織布及び前記織布より薄い不織布シート間に配設した唐辛子、茶の葉、ラベンダーの花、みかんの皮、マグネシウム・リン・鉄・亜鉛・銅又はキトサンの粉末、粒体又は破片による各種作用を利用することができるようにした靴の裏地材に関するものである。
【０００２】
【従来の技術】
従来から用いられていた前記靴用裏地材は、例えば単に織布、不織布又皮等によって構成されていた。したがって前記従来例によると織布及び不織布の素材自体による柔軟性又はクッション性を発揮させることは可能であった。
【０００３】
【発明が解決しようとする課題】
しかし織布、不織布又は皮のみによって構成されていた裏地は、それ自体は、格別発熱性はなく、人体の一部である足から生じる体温によって使用中に温められることはあっても、それ以上の高温性はこれを期待することはできないのであった。
【０００４】
一方、これら裏地は経時的に汚れることがあり、かつ汗が移ることによって悪臭が生じることがあっても、その処理は洗浄しない以上の解消は不可能であったが、靴の洗浄は一般人にとっては事実上不可能であった。したがって、従来の裏地には、抗菌作用又は匂いの消臭作用を期待することが不可能となっていたのである。
【０００５】
【課題を解決するための手段】
そこでこの発明に係る靴の裏地材は前記の課題を解決するために、織布又は前記織布より薄い不織布シートを貼着した靴の裏地材において、前記織布と不織布シートの間に、唐辛子、茶の葉、ラベンダーの花、みかんの皮、マグネシウム・リン・鉄・亜鉛・銅又はキトサンの粉末、粒体又は破片を一種類又は複数種類配設したものである。
【０００６】
【発明の実施の形態】
次にこの発明に係る靴の裏地材の実施の形態を図面に基づいて述べると、１はこの発明に係る裏地材となる織布であり、この織布１は裏地材として用いることができる程度に適度な厚さを有して形成されている。
【０００７】
２は、前記織布１の上面に貼着した前記織布１より薄い不織布シートであり、前記織布１と不織布シート２の間に、以下に示す各種材料３を配設してある。
【０００８】
この材料３は、以下に示すいづれにあっても、粒体又は破片状に形成してあり、熱可塑性樹脂を主成分とするホットメルトパウダーと混練してこれを前記織布１上に散布し、その上に前記織布１より薄い不織布シート２を敷き、その上部からアイロンを使用して熱接着せしめてある。
【０００９】
前記材料３として例えば、唐辛子を用いると、カプサイシンにより毛細血管を拡張し、血行を盛んにし、足の表面温度を経時的に高めることが可能になるのである。
【００１０】
また材料３として茶の葉を用いた場合には、茶の有する抗菌作用を発揮し、みかんの皮又はラベンダーの花を用いると、それ自在の香りによって、経時的に生じる悪臭の消臭作用が機能することになる。
【００１１】
さらにマグネシウム、リン、鉄、亜鉛、銅等のミネラルを含有し、これらのミネラルの発生するイオンは殺菌、消毒、消臭等を図ることができる。
【００１２】
またキトサンは、例えばズワイガニ等の天然物由来の高分子で生体適合性に富んだポリカチオンであり、抗菌性、吸放湿性、防臭機能、坑アレルギー性を発揮することになるのである。
【００１３】
以上において、前記材料３は一種類又は複数種類を混合して用いることが可能である。
【００１４】
【発明の効果】
前記のようにこの発明に係る靴の裏地材によれば、織布又は前記織布より薄い不織布シートを貼着した靴の裏地材において、前記織布と不織布シートの間に、唐辛子、茶の葉、ラベンダーの花、みかんの皮、マグネシウム・リン・鉄・亜鉛・銅又はキトサンの粉末、粒体又は破片を一種類又は複数種類配設してあるので、前記唐辛子等の各種材料が有する前記各種の作用が生じるという効果を有するのである。
【図面の簡単な説明】
【図１】この発明に係る靴の裏地材の一実施例を示す断面図である。
【符号の説明】
１  織布
２  不織布シート
３  材料
【図１】
2005013326.tif 000003